【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
熱可塑性樹脂を含んでなる内側コアであって、０．８５ｇ／ｃｍ３〜１．１ｇ／ｃｍ３の密度を有しかつ該内側コアの断面上の任意の２点間のショアＤ断面硬度の差が±６以内である内側コアと、
前記内側コアを実質的に取り囲むように配置され、熱硬化性ゴムを含んでなる外側コア層と、
少なくとも１層のカバー層と、
を備え、
前記内側コアは３．５ｍｍ〜４．１ｍｍの圧縮変形を有し、前記外側コア層は２．７ｍｍ〜３．３ｍｍの圧縮変形を有しかつ４．８ｍｍ以上の厚さを有し、該圧縮変形は、１０ｋｇの荷重を受けたときの変形量と１３０ｋｇの荷重を受けたときの変形量との差として測定されたものであり、
クラブヘッド速度以外は同一条件で測定される条件の下、該ゴルフボールについて、８０ｍｐｈ（約１２９ｋｍ／ｈ）のクラブヘッド速度において測定される第１の初速度と、１２５ｍｐｈ（約２０１ｋｍ／ｈ）のクラブヘッド速度において測定される第２の初速度との差の大きさが８６ｍｐｈ（約１３８ｋｍ／ｈ）以上であり、
前記内側コアの表面ショアＤ硬度が６０以上であり、前記外側コア層の表面ショアＤ硬度が５０〜６０であり、
前記外側カバー層は、構造式（１）：
【化１】
2014524337.tif 000001
（構造式中、Ｒ１は置換済み若しくは未置換のアルキル基、置換済み若しくは未置換のアリール基、置換済み若しくは未置換のアルキルアリール基、置換済み若しくは未置換のエーテル基、置換済み若しくは未置換のエステル基、これらの基の組合せであって選択的に不飽和結合を含むもの、またはＨであり、Ｒ２は置換済み若しくは未置換のアルキル基、置換済み若しくは未置換のアリール基、置換済み若しくは未置換のアルキルアリール基、置換済み若しくは未置換のエーテル基、または置換済み若しくは未置換のエステル基であり、またＲ２はアリル基を含み、ｘおよびｙはそれぞれ１〜１０の整数の値をとる）で示される不飽和ジオールを使用してポリウレタンポリマーをつくることにより得られる不飽和結合が反応することによって架橋された熱可塑性ポリウレタンを含んでなることを特徴とする、ゴルフボール。
【請求項２】
前記内側コアは、主に少なくとも１種類の高度に中和された熱可塑性ポリマーから形成されていることを特徴とする請求項１に記載のゴルフボール。
【請求項３】
前記内側コアが２０ｍｍ〜３０ｍｍの直径を有する一方で、前記外側コア層は５ｍｍ〜９ｍｍの厚さを有し、前記外側コア層の全体の直径が３４ｍｍ〜３９ｍｍであることを特徴とする請求項１に記載のゴルフボール。
【請求項４】
該ゴルフボールが０．８０以下の第１のＣＯＲを有し、
前記内側コアが第２のＣＯＲを有し、
前記外側コア層が第３のＣＯＲを有し、
第３のＣＯＲは第２のＣＯＲよりも高くかつ０．８０以上であり、
第２のＣＯＲは第１のＣＯＲよりも高いことを特徴とする請求項１に記載のゴルフボール。
【請求項５】
第１の初速度は８８ｍｐｈ（約１４２ｋｍ／ｈ）以上であり、第２の初速度は１７４ｍｐｈ（約２８０ｋｍ／ｈ）以上であることを特徴とする請求項１に記載のゴルフボール。
【請求項６】
主に少なくとも１種類の高度に中和された熱可塑性ポリマーから形成され、２０ｍｍ〜２６ｍｍの直径を有しかつ０．８５ｇ／ｃｍ３〜１．１ｇ／ｃｍ３の密度を有する内側コアであって、該内側コアの断面上の任意の２点間のショアＤ断面硬度の差が±６以内である、内側コアと、
前記内側コアを実質的に取り囲むように配置され、主に熱硬化性ゴムから製造された外側コア層であって、５ｍｍ〜９ｍｍの厚さを有する外側コア層と、
前記外側コア層を実質的に取り囲むように配置された内側カバー層と、
前記内側カバー層を実質的に取り囲むように配置された外側カバー層と、
を備え、                                      
前記内側コアは３．５ｍｍ〜４．１ｍｍの圧縮変形を有し、前記外側コア層は２．７ｍｍ〜３．３ｍｍの圧縮変形を有し、前記内側コアの圧縮変形／前記外側コア層の圧縮変形の比率は１．１〜１．３であり、該圧縮変形は、１０ｋｇの荷重を受けたときの変形量と１３０ｋｇの荷重を受けたときの変形量との差として測定されたものであり、
前記内側コアが第１のＣＯＲを有し、前記外側コア層が第２のＣＯＲを有し、第２のＣＯＲは第１のＣＯＲよりも高くかつ０．８以上の値を有し、
クラブヘッド速度以外は同一条件で測定される条件の下、該ゴルフボールについて、８０ｍｐｈ（約１２９ｋｍ／ｈ）のクラブヘッド速度において測定される第１の初速度と、１２５ｍｐｈ（約２０１ｋｍ／ｈ）のクラブヘッド速度において測定される第２の初速度との差の大きさが８６ｍｐｈ（約１３８ｋｍ／ｈ）以上であり、
前記カバー層は、構造式（１）：
【化１】
2014524337.tif 000002
（構造式中、Ｒ１は置換済み若しくは未置換のアルキル基、置換済み若しくは未置換のアリール基、置換済み若しくは未置換のアルキルアリール基、置換済み若しくは未置換のエーテル基、置換済み若しくは未置換のエステル基、これらの基の組合せであって選択的に不飽和結合を含むもの、またはＨであり、Ｒ２は置換済み若しくは未置換のアルキル基、置換済み若しくは未置換のアリール基、置換済み若しくは未置換のアルキルアリール基、置換済み若しくは未置換のエーテル基、または置換済み若しくは未置換のエステル基であり、またＲ２はアリル基を含み、ｘおよびｙはそれぞれ１〜１０の整数の値をとる）で示される不飽和ジオールを使用してポリウレタンポリマーをつくることにより得られる不飽和結合が反応することによって架橋された熱可塑性ポリウレタンを含んでなることを特徴とする、ゴルフボール。
【請求項７】
第２の初速度は１７４ｍｐｈ（約２８０ｋｍ／ｈ）以上であることを特徴とする請求項６に記載のゴルフボール。
【請求項８】
第１の初速度は８８ｍｐｈ（約１４２ｋｍ／ｈ）以上であることを特徴とする請求項６に記載のゴルフボール。
【請求項９】
前記内側カバー層は、主に熱可塑性材料から形成されているとともに、６０以上の表面ショアＤ硬度を有しかつ１ｍｍ未満の厚さを有する一方で、
前記外側カバー層は、熱可塑性材料からなるとともに、５０〜６０の表面ショアＤ硬度を有しかつ前記内側カバー層の厚さよりも厚い厚さを有することを特徴とする請求項６に記載のゴルフボール。
【請求項１０】
該ゴルフボールのＣＯＲが０．８０以下であることを特徴とする請求項６に記載のゴルフボール。
【請求項１１】
前記不飽和ジオールがトリメチロールプロパンモノアリルエーテルであることを特徴とする請求項６に記載のゴルフボール。
【請求項１２】
本質的に少なくとも１種類の高度に中和されたポリマーからなり、０．８５ｇ／ｃｍ３〜１．１ｇ／ｃｍ３の密度を有する内側コアであって、該内側コアの断面上の任意の２点間のショアＤ断面硬度の差が±６以内である、内側コアと、
前記内側コアを実質的に取り囲むように配置され、主に熱硬化性から製造された外側コア層と、
少なくとも１層のカバー層と、
を備え、
クラブヘッド速度以外は同一条件で測定される条件の下、該ゴルフボールについて、８０ｍｐｈ（約１２９ｋｍ／ｈ）のクラブヘッド速度において測定される第１の初速度と、１２５ｍｐｈ（約２０１ｋｍ／ｈ）のクラブヘッド速度において測定される第２の初速度との差の大きさが８６ｍｐｈ（約１３８ｋｍ／ｈ）以上であり、
前記カバー層は、構造式（１）：
【化１】
2014524337.tif 000003
（構造式中、Ｒ１は置換済み若しくは未置換のアルキル基、置換済み若しくは未置換のアリール基、置換済み若しくは未置換のアルキルアリール基、置換済み若しくは未置換のエーテル基、置換済み若しくは未置換のエステル基、これらの基の組合せであって選択的に不飽和結合を含むもの、またはＨであり、Ｒ２は置換済み若しくは未置換のアルキル基、置換済み若しくは未置換のアリール基、置換済み若しくは未置換のアルキルアリール基、置換済み若しくは未置換のエーテル基、または置換済み若しくは未置換のエステル基であり、またＲ２はアリル基を含み、ｘおよびｙはそれぞれ１〜１０の整数の値をとる）で示される不飽和ジオールを使用してポリウレタンポリマーをつくることにより得られる不飽和結合が反応することによって架橋された熱可塑性ポリウレタンを含んでなることを特徴とする、ゴルフボール。
【請求項１３】
第１の初速度は８８ｍｐｈ（約１４２ｋｍ／ｈ）以上であり、第２の初速度は１７４ｍｐｈ（約２８０ｋｍ／ｈ）以上であることを特徴とする請求項１２に記載のゴルフボール。
【請求項１４】
前記内側コアは、本質的に２種類の高度に中和されたポリマーの混合物からなることを特徴とする請求項１２に記載のゴルフボール。
【請求項１５】
前記内側コアは３．５ｍｍ〜４．１ｍｍの圧縮変形を有し、前記外側コア層は２．７ｍｍ〜３．３ｍｍの圧縮変形を有し、前記内側コアの圧縮変形／前記外側コア層の圧縮変形の比率は１．１〜１．３であり、該圧縮変形は、１０ｋｇの荷重を受けたときの変形量と１３０ｋｇの荷重を受けたときの変形量との差として測定されたものであることを特徴とする請求項１２に記載のゴルフボール。
【請求項１６】
前記内側コアが第１のＣＯＲを有し、
前記外側コア層が第２のＣＯＲを有し、
第２のＣＯＲは第１のＣＯＲよりも高くかつ０．８０以上であり、
第１のＣＯＲは該ゴルフボールのＣＯＲよりも高いことを特徴とする請求項１２に記載のゴルフボール。
【請求項１７】
前記不飽和ジオールは、構造式（２）：
【化２】
2014524337.tif 000004
（構造式中、Ｒは置換済み若しくは未置換のアルキル基であり、ｘおよびｙはそれぞれ１〜４の整数の値をとる）によって示されるものであることを特徴とする請求項１２に記載のゴルフボール。
【手続補正２】
【補正対象書類名】明細書
【補正対象項目名】０００９
【補正方法】変更
【補正の内容】
【０００９】
一態様において、本開示は、主に少なくとも１種類の高度に中和された熱可塑性ポリマーから形成された内側コア、内側コアを実質的に取り囲み、熱硬化性ゴムを含んでなる外側コア層、および少なくとも１層のカバー層を含んでなるゴルフボールであって、内側コアが約３．５ｍｍ〜約４．１ｍｍの圧縮変形を有し、外側コア層が約２．７ｍｍ〜約３．３ｍｍの圧縮変形を有し、内側コアの圧縮変形／外側コア層の圧縮変形の比率が約１．１〜約１．３であり、約１２５ｍｐｈ（約２０１ｋｍ／ｈ）のクラブヘッド速度で測定されたときに約１７３ｍｐｈ（約２７８ｋｍ／ｈ）以上の初速度を有しかつ最大で約０．８０のＣＯＲを有するゴルフボールを提供する。
【手続補正３】
【補正対象書類名】明細書
【補正対象項目名】００１０
【補正方法】変更
【補正の内容】
【００１０】
他の態様において、本開示は、主に少なくとも１種類の高度に中和された熱可塑性ポリマーから形成され、かつ約２０ｍｍ〜約２６ｍｍの直径を有する内側コア、内側コアを実質的に取り囲み、主に熱硬化性ゴムから製造され、かつ約５ｍｍ〜約９ｍｍの厚さを有する外側コア層、外側コア層を実質的に取り囲む内側カバー層、および内側カバー層を実質的に取り囲む外側カバー層を含んでなるゴルフボールであって、内側コアが約３．５ｍｍ〜約４．１ｍｍの圧縮変形を有し、外側コア層が約２．７ｍｍ〜約３．３ｍｍの圧縮変形を有し、内側コアの圧縮変形／外側コア層の圧縮変形の比率が約１．１〜約１．３であり、内側コアが第１のＣＯＲを有し、外側コアが第２のＣＯＲを有し、第２のＣＯＲは第１のＣＯＲよりも高くかつ０．８以上の値を有し、約１２５ｍｐｈ（約２０１ｋｍ／ｈ）のクラブヘッド速度で測定されたときに約１７３ｍｐｈ（約２７８ｋｍ／ｈ）以上の初速度を有するゴルフボールを提供する。